(57)【要約】【課題】収納が容易で釣糸の挿通操作も容易な並継形式で竿体を連結する釣竿を提供する。【解決手段】この釣竿な並継形式で各竿体が連結される。元竿１，中竿２，穂先竿３の周面には、それぞれ固定ガイド１０とスライドガイド１１とが装着されている。中竿２は、元竿１に比べて軸方向長さが、その周面に固定されている固定ガイド１０及び複数のスライドガイド１１の軸方向長さ程度長い。穂先竿３は、中竿２に比べて軸方向長さがトップガイド１２及び複数のスライドガイド１１の軸方向長さ程度長い。【選択図】　　　図１
2004033059.tif 000002
【特許請求の範囲】
【請求項１】
複数の竿体を連結してなる釣竿であって、
周面にリールを脱着自在に装着可能なリールシート，穂先側端部周面に固定された固定ガイド，及び前記固定ガイドの竿元側に軸方向に移動自在に装着された複数のスライドガイドを有している最も竿元側に位置する元竿と、
穂先側端部に固定された固定ガイド，前記固定ガイドの竿元側に軸方向に移動自在に装着された複数のスライドガイドとを有し、前記元竿の穂先側に並継形式に連結され、前記元竿に比べて軸方向長さが前記固定ガイド及び複数のスライドガイドの軸方向長さ分長い中竿と、
穂先側端部に固定されたトップガイド，前記トップガイドの竿元側に軸方向に移動自在に装着された複数のスライドガイドとを有し、前記中竿の穂先側に並継形式に連結され、前記中竿に比べて軸方向長さが前記トップガイド及び複数のスライドガイドの軸方向長さ分長い穂先竿と
を備える釣竿。
【請求項２】
前記中竿は複数の竿体からなる中竿群であり、前記中竿群を構成する各竿体は、それぞれ並継形式で連結され、前記各竿体はそれぞれ前記固定ガイド及びスライドガイドを有しており、竿元側に位置する竿体に比べて穂先側に隣接する竿体の軸方向長さが前記固定ガイド及びスライドガイドの軸方向分長い、請求項１に記載の釣竿。
【発明の詳細な説明】
【０００１】
【発明の属する技術分野】
本発明は魚釣りに用いる釣竿、特に、釣竿を構成する竿体の周面にスライドガイドと呼ばれる長手方向に移動可能な釣糸ガイドを有している釣竿に関する。
【０００２】
【従来の技術】
釣竿は、一般に、複数の竿体を連結して一本の長い釣竿として構成されている。この種の複数の竿体を連結する態様として並継形式がある。
並継形式では、各竿体は相互の連結を解除されて別々の竿体として収納されている。竿元側に位置する竿体の穂先側端部が嵌合雌部となっており、穂先側に位置する竿体の竿元側端部には竿元側に突出して嵌合雄部が形成されている。そして、使用時には、竿元側に位置する竿体の嵌合雌部に、穂先側に位置する竿体の嵌合雄部を順次挿入して嵌着させて連結し、一本の長い釣竿とする。釣りを行う際には、釣人は各竿体の周面に固定されている釣糸ガイドにリールからの釣糸を順次挿通させて穂先側に導く。
【０００３】
【発明が解決しようとする課題】
上述のような並継形式の釣竿では、収納時に各竿体が分離されるため、穂先側の竿体が竿元側の竿体内に収納されるような振出形式に比べて、その収納が煩雑になりがちである。特に、並継形式の釣竿では、釣糸をガイドに挿通させたままで竿体を分離して収納しておくのが一般に困難であり、一時的に釣りを止めて釣竿を仕舞っておくのに不便なことがある。
【０００４】
さらに、並継形式の釣竿では、各竿体の周面に軸方向に間隔を隔てて固定されている釣糸ガイドに一々釣糸を挿通させる必要があり、このような釣糸挿通操作は煩雑である。
本発明の課題は、収納が容易で釣糸の挿通操作も容易な並継形式で竿体を連結する釣竿を提供することにある。
【０００５】
【課題を解決するための手段】
発明１の釣竿は、複数の竿体を連結してなる釣竿であって、周面にリールを脱着自在に装着可能なリールシート，穂先側端部周面に固定された固定ガイド，及び固定ガイドの竿元側に軸方向に移動自在に装着された複数のスライドガイドを有している最も竿元側に位置する元竿と、穂先側端部に固定された固定ガイド，固定ガイドの竿元側に軸方向に移動自在に装着された複数のスライドガイドとを有し、元竿の穂先側に並継形式に連結され、元竿に比べて軸方向長さが固定ガイド及び複数のスライドガイドの軸方向長さ分長い中竿と、穂先側端部に固定されたトップガイド，トップガイドの竿元側に軸方向に移動自在に装着された複数のスライドガイドとを有し、中竿の穂先側に並継形式に連結され、中竿に比べて軸方向長さがトップガイド及び複数のスライドガイドの軸方向長さ分長い穂先竿とを備えている。
【０００６】
この釣竿は、収納時においては各竿体が分離され個別の竿体として収納されている。各竿体はそれぞれの竿元側端部を揃えると、順次穂先側に配置される竿体ほど、一定分だけ長くなっている。即ち、各竿体の周面に配置されているスライドガイドを穂先側端部の固定ガイド若しくはトップガイド付近にまとめて収納した場合に、これらのガイドを集約した軸方向長さ分だけ、順次穂先側に配置される竿体の長さが長い。このため、穂先竿の穂先側に集約されたガイド，中竿の穂先側に集約されたガイド、元竿の穂先側に集約されたガイドの順で、順次まとまって配置されることになる。この状態で、元竿のリールシートに装着されたリールから釣糸をまとめて各スライドガイド及びトップガイド・固定ガイドに挿通すれば、釣糸のガイドへの挿通操作が容易になる。
【０００７】
釣りを行う際には、元竿の穂先側に中竿，穂先竿を順次並継形式で連結し、各竿体の周面に配置されているスライドガイドを順次竿元側にスライド移動させて所定の場所に固定し、一本の釣竿として用いる。なお、釣りを終えた後には、各竿体の周面に配置されているスライドガイドを順次穂先側にスライド移動させて、各竿体を分離して収納することになるが、釣糸を各ガイドに挿通したままでも釣竿を収納しておくことが可能である。
【０００８】
発明２の釣竿は、発明１の釣竿であって、中竿は複数の竿体からなる中竿群であり、中竿群を構成する各竿体は、それぞれ並継形式で連結され、各竿体はそれぞれ固定ガイド及びスライドガイドを有しており、竿元側に位置する竿体に比べて穂先側に隣接する竿体の軸方向長さが固定ガイド及びスライドガイドの軸方向分長い。
【０００９】
この釣竿でも、釣糸のガイドへの挿通が容易であり、また各種の釣糸ガイドに釣糸を挿通させたままで、各竿体を分離収納しておくこともできる。
【００１０】
【発明の実施の形態】
［第１実施形態］
本発明の第１実施形態を採用した釣竿は、図１に示すように、元竿１と、元竿１の穂先側に連結される、中竿２，及び穂先竿３とを有している。これら元竿１〜穂先竿３は炭素繊維またはガラス繊維等に合成樹脂を含浸させたプリプレグから形成される先細り筒状部材である。中竿２及び穂先竿３の竿元側端部にはそれぞれの竿元側に位置する竿体に連結するための連結部が設けられている。そして、穂先側の竿体を竿元側に位置する竿体の穂先側に並継形式に連結可能としている。
【００１１】
元竿１は、外周面に形成されリールを脱着自在に装着可能なリールシート５を有している。このリールシート５は、別途合成樹脂等で形成されたパイプ状の部材を所定の位置に配置し固定したものや、別途金属又は硬質合成樹脂から形成されたリールシート部材を巻糸等で所定の位置に固定したものなどがある。また、元竿１の竿元側端部内周面には雌ねじ部材（図示せず）が配置され、ここに尻栓６が脱着自在に螺合している。
【００１２】
この元竿１の周面には、固定式の釣糸ガイド１０（以下、「固定ガイド」という）及び軸方向にスライド移動可能な複数のスライドガイド１１が配置されている。固定ガイド１０は元竿１の穂先側端部外周面に固定されるものであり、竿体周面に固定されるパイプ状の固定部と、固定部から起立するフレームと、このフレームに装着されるガイドリングとからなる。ガイドリングはセラミックス等からなる硬質のリングであり、釣糸Ｌがこのリングを挿通する。一方、スライドガイド１１は、固定ガイド１０と同様にそれぞれ固定部，フレーム，ガイドリングを有するものであるが、パイプ状の固定部を介して元竿１上を軸方向にスライド移動する。そして、元竿１のテーパ径に応じて所定の軸方向位置でスライドガイド１１は元竿１の周面に固定されることになる。
【００１３】
なお、この元竿１の周面の所定の軸方向位置にスライドガイド１１を固定するために、図２に示すように、ガイド固定用の大径部分１ａを元竿１の周面に部分的に形成してもよい。この大径部分１ａは、例えば、元竿１の筒状の本体部を形成するためのプリプレグ素材に加えて別途肉盛用プリプレグ素材を巻回し、これらをまとめて焼成して形成することができる。並継形式の連結方式を採用することで竿体の径設定の自由度が広がるので、元竿１にこのような大径部分１ａを形成することも容易である。
【００１４】
中竿２の周面にも、上述の元竿１と同様に、固定ガイド１０と複数のスライドガイド１１とが配置されている。この中竿２の軸方向長さは、上述の元竿１に比較して、固定ガイド１０及び複数のスライドガイド１１の軸方向長さ程度（図１のＸ参照）だけ長くなっている。詳しくは、中竿２の穂先側端部に固定されている固定ガイド１０側に複数のスライドガイド１１を全てスライド移動させてまとめた場合に、これら固定ガイド１０及びスライドガイド１１が位置する軸方向長さ程度だけ、中竿２は元竿１より軸方向長さが長くなるように設定される。
【００１５】
穂先竿３の周面にも、上述の各竿体と同様に、固定式の釣糸ガイド（穂先竿３にあってはトップガイド１２となる）と複数のスライドガイド１１とが配置されている。この穂先竿３の軸方向長さも、上述の元竿１，元上竿２の関係と同様に、トップガイド１２及び複数のスライドガイド１１の軸方向長さ程度（図１のＹ参照）だけ長くなっている。
【００１６】
このような３本の竿体からなる釣竿は、収納時においては各竿体が分離され個別の竿体として収納されている。この収納時においては、図１に示すように、各竿体の周面に配置されているスライドガイド１１は穂先側端部にスライド移動させてまとめておき、竿元側を揃えて各竿体を並べて収納する。この場合、図３に示すような、竿体ホルダー１００を用いて３つの竿体を並べて収納してもよい。
【００１７】
この竿体ホルダー１００は、図３に示すように、元竿１，中竿２，穂先竿３をそれぞれ挟持可能な割りの入った３つのリング部分を有する部材である。弾性を有する合成樹脂から構成され、各竿体をこのリング部分にはめ込んで並べて収納可能となる。
これらの元竿１〜穂先竿３は、それぞれの竿元側端部を揃えると、順次穂先側に配置される竿体ほど、一定分だけ長くなっている。このため、穂先竿３の穂先側のトップガイド１２及びこれに集約されるスライドガイド１１，中竿２の穂先側の固定ガイド１０及びこれに集約されるスライドガイド１１、元竿１の穂先側の固定ガイド１０及びこれに集約されるスライドガイド１１の順で、順次まとまって配置されることになる。そして、この状態で、元竿１のリールシート５に装着されたリールから釣糸Ｌをまとめて各スライドガイド１１等に挿通すれば、釣糸Ｌの各種ガイドへの挿通操作を容易に為し得る。
【００１８】
釣りを行う際には、元竿１の穂先側に中竿２，穂先竿３を順次並継形式で連結し、各竿体の周面に配置されているスライドガイド１１を順次竿元側にスライド移動させて所定の場所に固定し、一本の釣竿として用いることになる。
釣りを終えた後には、各竿体の周面に配置されているスライドガイド１１を順次穂先側にスライド移動させて、各竿体を分離して収納する。この際にも、釣糸Ｌを各ガイドに挿通したままでも、各竿体を分離し、必要に応じて竿体ホルダー１００等に竿体を装着して、釣竿を収納可能である。
【００１９】
［他の実施形態］
（ａ）上記実施形態においては、３本の竿体を連結する場合を例示しているが、竿体の本数はこれに限定されるものではなく、中竿を複数の竿体からにしてもよい。この場合にも、中竿を構成する複数の各竿体は、それぞれ並継形式で連結され、これらの各竿体はそれぞれ固定ガイド及びスライドガイドを有することになる。そして、竿元側に位置する竿体に比べて穂先側に隣接する竿体の軸方向長さが固定ガイド及びスライドガイドの軸方向程度長くなる。この場合においても、各竿体の穂先側にスライドガイドを集約することで、釣糸挿通作業や収納が容易になる。
（ｂ）穂先竿３は複数の異なる種類のものを準備してもよい。このような釣竿では、必要に応じて任意の穂先竿３を選択し、この選択した穂先竿３を中竿２に連結して釣りを行う（替え穂先竿）。例えば、炭素繊維強化樹脂からなる穂先竿３、ガラス繊維強化樹脂からなる穂先竿３などを準備する。
【００２０】
【発明の効果】
本発明の釣竿は収納が容易であり、釣糸ガイドへの釣糸の挿通操作も容易である。
【図面の簡単な説明】
【図１】本発明の第１実施形態を採用した釣竿の全体図。
【図２】図１の元竿１の大径部分１ａ付近を示した図。
【図３】竿体ホルダー１００を示した図。
【符号の説明】
１　元竿
２　元上竿
３　穂先竿
１０　固定ガイド
１１　スライドガイド
１２　トップガイド
【図１】
2004033059.tif 000003
【図２】
2004033059.tif 000004
【図３】
2004033059.tif 000005